(57)【要約】【課題】無線通信において、その時々の無線環境において最適なパス選択を行い、通信における誤り率を低減する。【解決手段】本発明は、送信機と受信機２０との間で無線通信を制御する通信制御システムであって、受信機２０側において、送信機が送信した既知系列であるパイロット信号を受信し、この受信したパイロット信号に対してレプリカ信号を用いて相関を取ることにより、パスを特定する遅延プロファイルを生成する相関部２２と、通信状況に関する指標値に基づいて閾値を決定する閾値決定部２４と、閾値と、遅延プロファイル中の各パスの電力レベルとを比較し、比較結果が所定の条件を満たすパスを有効パスとして選択し、有効パスが選択された後の遅延プロファイルをチャネル推定値として出力するパス選択部２３とを有する。【選択図】　　　図１
2004023763.tif 000002
【特許請求の範囲】
【請求項１】
送信機と受信機との間で無線通信を制御する通信制御システムであって、
前記受信機側において、前記送信機が送信した既知系列であるパイロット信号を受信し、この受信したパイロット信号に対してレプリカ信号を用いて相関を取ることにより、パスを特定する遅延プロファイルを生成する相関部と、
通信状況に関する指標値に基づいて前記閾値を決定する閾値決定部と、
前記閾値と、前記遅延プロファイル中の各パスの電力レベルとを比較し、比較結果が所定の条件を満たすパスを有効パスとして選択し、有効パスが選択された後の前記遅延プロファイルをチャネル推定値として出力するパス選択部と
を有することを特徴とする通信制御システム。
【請求項２】
前記指標値は、受信機側において取得され、
前記閾値決定部は、前記受信機側に備えられ、
前記閾値の決定は、受信機側において行われる
ことを特徴とする請求項１に記載の通信制御システム。
【請求項３】
前記指標値は、送信機側において取得され、
前記閾値決定部は、前記送信機側に備えられ、
前記送信機側において決定された閾値は、前記送信機側から前記受信機側へ通知される
ことを特徴とする請求項１に記載の通信制御システム。
【請求項４】
前記閾値決定部は、現在通信を行っている通信チャネルの無線品質を示す指標値を取得し、該無線品質に基づいて前記閾値を決定することを特徴とする請求項１乃至３に記載の通信制御システム。
【請求項５】
前記閾値決定部は、同時に通信を行っているユーザ数、或いはトラヒック数を前記指標値として前記閾値を決定することを特徴とする請求項１乃至３に記載の通信制御システム。
【請求項６】
前記閾値決定部は、ＭＣＳレベルを前記指標値として前記閾値を決定することを特徴とする請求項１乃至３に記載の通信制御システム。
【請求項７】
前記閾値決定部は、現在通信を行っている変調方式を前記指標値として前記閾値を決定することを特徴とする請求項１乃至３に記載の通信制御システム。
【請求項８】
前記閾値決定部は、フェージング周波数を前記指標値として前記閾値を決定することを特徴とする請求項１乃至３に記載の通信制御システム。
【請求項９】
前記閾値決定部は、前記受信機の位置情報を前記指標値として前記閾値を決定することを特徴とする請求項１乃至３に記載の通信制御システム。
【請求項１０】
前記閾値決定部は、現在の通信のサービス種別を前記指標値として前記閾値を決定することを特徴とする請求項１乃至３に記載の通信制御システム。
【請求項１１】
前記閾値決定部は、現在の時間帯を前記指標値として前記閾値を決定することを特徴とする請求項１乃至３に記載の通信制御システム。
【請求項１２】
送信機と受信機との間で無線通信を制御する通信制御方法であって、
前記受信機側において既知系列であるパイロット信号を、前記送信機側から送信するステップ（１）と、
このパイロット信号を受信機側において受信し、受信したパイロット信号に対してレプリカ信号を用いて相関を取ることにより、パスを特定する遅延プロファイルを生成するステップ（２）と、
通信状況に関する指標値に基づいて前記閾値を決定するステップ（３）と、
前記閾値と、前記遅延プロファイル中の各パスの電力レベルとを比較し、比較結果が所定の条件を満たすパスを有効パスとして選択し、有効パスが選択された後の前記遅延プロファイルをチャネル推定値として出力するステップ（４）と
を有することを特徴とする通信制御方法。
【請求項１３】
前記ステップ（３）において、
前記指標値は、受信機側で取得され、前記閾値の決定は、受信機側において行われることを特徴とする請求項１２に記載の通信制御方法。
【請求項１４】
前記ステップ（３）において、
前記指標値は、送信機側において取得され、前記閾値の決定は前記送信機側において行われ、この前記送信機側において決定された閾値は、前記送信機側から前記受信機側へ通知される　ことを特徴とする請求項１２に記載の通信制御方法。
【請求項１５】
前記ステップ（３）においては、現在通信を行っている通信チャネルの無線品質を示す指標値を取得し、該無線品質に基づいて前記閾値を決定することを特徴とする請求項１２乃至１４に記載の通信制御方法。
【請求項１６】
前記ステップ（３）においては、同時に通信を行っているユーザ数、或いはトラヒック数を前記指標値として前記閾値を決定することを特徴とする請求項１２乃至１４に記載の通信制御方法。
【請求項１７】
前記ステップ（３）においては、ＭＣＳレベルを前記指標値として前記閾値を決定することを特徴とする請求項１２乃至１４に記載の通信制御方法。
【請求項１８】
前記ステップ（３）においては、現在通信を行っている変調方式を前記指標値として前記閾値を決定することを特徴とする請求項１２乃至１４に記載の通信制御方法。
【請求項１９】
前記ステップ（３）においては、フェージング周波数を前記指標値として前記閾値を決定することを特徴とする請求項１２乃至１４に記載の通信制御方法。
【請求項２０】
前記ステップ（３）においては、前記受信機の位置情報を前記指標値として前記閾値を決定することを特徴とする請求項１２乃至１４に記載の通信制御方法。
【請求項２１】
前記ステップ（３）においては、現在の通信のサービス種別を前記指標値として前記閾値を決定することを特徴とする請求項１２乃至１４に記載の通信制御方法。
【請求項２２】
前記ステップ（３）においては、現在の時間帯を前記指標値として前記閾値を決定することを特徴とする請求項１２乃至１４に記載の通信制御方法。
【請求項２３】
基地局に対して無線通信を行う移動局であって、
当該移動局において既知系列であるパイロット信号を前記基地局から受信し、この受信したパイロット信号に対してレプリカ信号を用いて相関を取ることにより、パスを特定する遅延プロファイルを生成する相関部と、
通信状況に関する指標値に基づいて決定された前記閾値と、前記遅延プロファイル中の各パスの電力レベルとを比較し、比較結果が所定の条件を満たすパスを有効パスとして選択し、有効パスが選択された後の前記遅延プロファイルをチャネル推定値として出力するパス選択部と
を有することを特徴とする移動局。
【請求項２４】
前記指標値を取得し、この取得された指標値に基づいて前記閾値を決定する閾値決定部を有する
ことを特徴とする請求項２３に記載の移動局。
【請求項２５】
前記パス選択部は、前記指標値に基づき前記基地局側において決定された閾値を取得する機能を有する
ことを特徴とする請求項２３に記載の移動局。
【請求項２６】
前記指標値は、現在通信を行っている通信チャネルの無線品質であり、前記閾値は、前記無線品質に基づいて決定されることを特徴とする請求項２３乃至２５に記載の移動局。
【請求項２７】
前記指標値は、同時に通信を行っているユーザ数、或いはトラヒック数であり、前記閾値は、これらユーザ数、或いはトラヒック数に基づいて決定されることを特徴とする請求項２３乃至２５に記載の移動局。
【請求項２８】
前記指標値は、ＭＣＳレベルであり、前記閾値は、前記ＭＣＳレベルに基づいて決定されることを特徴とする請求項２３乃至２５に記載の移動局。
【請求項２９】
前記指標値は、現在通信を行っている変調方式を前記指標値であり、前記閾値は、前記変調方式に基づいて決定されることを特徴とする請求項２３乃至２５に記載の移動局。
【請求項３０】
前記指標値は、フェージング周波数であり、前記閾値は、前記フェージング周波数に基づいて決定されることを特徴とする請求項２３乃至２５に記載の移動局。
【請求項３１】
前記指標値は、前記移動局の位置情報であり、前記閾値は、前記位置情報に基づいて決定されることを特徴とする請求項２３乃至２５に記載の移動局。
【請求項３２】
前記指標値は、現在の通信のサービス種別であり、前記閾値は、前記サービス種別に基づいて決定されることを特徴とする請求項２３乃至２５に記載の移動局。
【請求項３３】
前記指標値は、現在の時間帯であり、前記閾値は、前記時間帯に基づいて決定されることを特徴とする請求項２３乃至２５に記載の移動局。
【請求項３４】
移動局に対して無線通信を行う基地局であって、
当該受信機において既知系列であるパイロット信号を前記移動局へ送信し、前記移動局側において、受信したパイロット信号に対してレプリカ信号を用いて相関を取ることによりパスを特定する遅延プロファイルを生成させる手段と、
通信状況に関する指標値に基づいて決定された前記閾値と、前記遅延プロファイル中の各パスの電力レベルとを、前記移動局において比較させ、比較結果が所定の条件を満たすパスを有効パスとして選択し、有効パスが選択された後の前記遅延プロファイルをチャネル推定値として出力させる手段と
を有することを特徴とする基地局。
【請求項３５】
前記指標値を取得し、この取得された指標値に基づいて前記閾値を決定する閾値決定部を有し、
この閾値決定部は、決定した閾値を前記移動局に通知する手段を有する
ことを特徴とする請求項３４に記載の基地局。
【請求項３６】
前記指標値を取得し、前記移動局に通知する手段を有し、前記移動局において、通知された指標値に基づいて前記閾値を決定させることを特徴とする請求項３４に記載の基地局。
【請求項３７】
前記指標値は、現在通信を行っている通信チャネルの無線品質であり、前記閾値は、前記無線品質に基づいて決定されることを特徴とする請求項３４乃至３６に記載の基地局。
【請求項３８】
前記指標値は、同時に通信を行っているユーザ数、或いはトラヒック数であり、前記閾値は、これらユーザ数、或いはトラヒック数に基づいて決定されることを特徴とする請求項３４乃至３６に記載の基地局。
【請求項３９】
前記指標値は、ＭＣＳレベルであり、前記閾値は、前記ＭＣＳレベルに基づいて決定されることを特徴とする請求項３４乃至３６に記載の基地局。
【請求項４０】
前記指標値は、現在通信を行っている変調方式を前記指標値であり、前記閾値は、前記変調方式に基づいて決定されることを特徴とする請求項３４乃至３６に記載の基地局。
【請求項４１】
前記指標値は、フェージング周波数であり、前記閾値は、前記フェージング周波数に基づいて決定されることを特徴とする請求項３４乃至３６に記載の基地局。
【請求項４２】
前記指標値は、前記受信機の位置情報であり、前記閾値は、前記位置情報に基づいて決定されることを特徴とする請求項３４乃至３６に記載の基地局。
【請求項４３】
前記指標値は、現在の通信のサービス種別であり、前記閾値は、前記サービス種別に基づいて決定されることを特徴とする請求項３４乃至３６に記載の基地局。
【請求項４４】
前記指標値は、現在の時間帯であり、前記閾値は、前記時間帯に基づいて決定されることを特徴とする請求項３４乃至３６に記載の基地局。
【発明の詳細な説明】
【０００１】
【発明の属する技術分野】
本発明は、移動体通信に関し、特に、通信制御システム、通信制御方法、移動局及び基地局に関するものである。
【０００２】
【従来の技術】
一般に無線通信では、信号は複数の伝搬路（パス）を通って受信され、各パス毎に遅延及びフェージング変動を受けるため、受信機において、予め送信データ変調位相が既知のシンボルであるパイロットシンボルを用いて、各パスの遅延、及びフェージング変動に起因する受信信号の位相及び振幅の変動を推定するチャネル推定を行う必要がある。
【０００３】
図１１に、従来の「チャネル推定方法」を行う受信機１０の構成の一部を示す。なお、図１１では、受信機１０の構成のうち、チャネル推定を行う部分のみを示している。
【０００４】
受信機１０は、図１１のように、チャネル推定を行う装置として、チャネル推定装置１１を具備し、このチャネル推定装置１１は、相関部１２と、パス選択部１３とを具備している。相関部１２は、パス選択部１３に接続されており、受信した信号内のパイロットシンボルが入力され、このパイロットシンボルを用いて、遅延プロファイルを作成し、作成した前記遅延プロファイルをパス選択部１３に送信する。一方、パス選択部１３は、相関部１２から送信された遅延プロファイルの要素の中から、ノイズと考えられるパスを削除し、有効なパスを選択し、パス選択後の遅延プロファイルを、無線通信チャネルの状況を示すチャネル推定値として出力する。
【０００５】
このパス選択部１３における、パスの選択処理としては、基準となる電力レベルを閾値とし、各パスの電力レベルと閾値とを比較し、閾値を超える電力レベルのパスを選択する方式が採られている。
【０００６】
【発明が解決しようとする課題】
しかしながら、従来のチャネル推定方法では、上述したように、パス選択を行う際の基準となる閾値を固定していたため、様々な無線通信チャネルの状況、或いは、サービス種別、或いは、変調方式、或いは、ＭＣＳレベルにおいて、その時々の最適な閾値を用いてパス選択を行うことができなかった。
【０００７】
本発明は、このような問題に鑑みてなされたものであり、無線通信において、その時々の無線通信チャネルの状況、サービス種別、変調方式、ＭＣＳレベルに対応した最適な閾値でパス選択を行い、通信における誤り率を低減することのできる通信制御システム、通信制御方法、移動局及び基地局を提供することを、その目的とする。
【０００８】
【課題を解決するための手段】
上記課題を解決するために、本発明は、送信機と受信機との間で無線通信を行う際に、受信機側において既知系列であるパイロット信号を、送信機側から送信し、このパイロット信号を受信機側において受信し、受信したパイロット信号に対してレプリカ信号を用いて相関を取ることにより、パスを特定する遅延プロファイルを生成し、通信状況に関する指標値に基づいて閾値を決定し、閾値と、遅延プロファイル中の各パスの電力レベルとを比較し、比較結果が所定の条件を満たすパスを有効パスとして選択し、有効パスが選択された後の遅延プロファイルをチャネル推定値として出力する。
【０００９】
ここで、本発明において、送信機と受信機との間の無線通信とは、基地局と移動局の間、基地局同士間、或いは移動局同士間の通信を含み、上記送信機や受信機は通信形態における受信側となるか又は送信側となるかに応じて定められ、移動局であると基地局であるとを問わない。
【００１０】
なお、上記発明において、指標値を受信機側で取得し、閾値の決定を受信機側において行うようにすることができ、また、閾値の決定を送信機側において行い、この決定された閾値を、送信機側から受信機側へ通知するようにしてもよい。
【００１１】
また、上記発明において、指標値は、現在通信を行っている通信チャネルの無線品質指標値や、同時に通信を行っているユーザ数、或いはトラヒック数、ＭＣＳレベル、変調方式、フェージング周波数、受信機の位置情報、通信サービス種別、時間帯とすることが好ましい。
【００１２】
本発明によれば、受信機が、測定した無線品質に応じて、或いは、サービス種別、変調方式、ＭＣＳレベルなどに応じて閾値を変化させることにより、その時々の無線環境において最適な閾値を用いたパス選択を行い、通信における誤り率を低減することができる。
【００１３】
【発明の実施の形態】
［実施形態］
（受信機の構成）
以下に本発明の実施形態に係る通信制御システムについて詳細に説明する。図１は、実施形態１に係る受信機２０のチャネル推定に関わる部分の概要構成を示すブロック図である。
【００１４】
受信機２０は、図１のように、チャネル推定を行う装置として、チャネル推定装置２１を具備し、このチャネル推定装置２１は、相関部２２と、パス選択部２３と、閾値決定部２４とを具備している。
【００１５】
チャネル推定装置２１は、受信側で予め送信データ変調位相が既知のシンボルであるパイロットシンボルを用いてチャネル推定を行い、各パスの遅延及びフェージング変動に起因する受信信号の位相及び振幅の変動、すなわちフェージング複素包絡線を推定するものである。
【００１６】
相関部２２は、パス選択部２３に接続されており、入力された受信データ内のパイロットシンボルの位置を検出し、パイロットシンボルＳ１を抽出する機能を有する。また、相関部２２は、図２に示すように、抽出されたパイロットシンボルＳ１に対して、相関部２２に記憶されたパイロットシンボルのレプリカＲ１、すなわち、前記パイロットシンボルと全く同じシンボル系列を、上述の検出した位置から１チップずつずらして掛け合わして相関を取り、遅延プロファイルＰＦ１を作成する機能を有し、作成された遅延プロファイルＰＦ１はパス選択部２３に送信される。
【００１７】
パス選択部２３は、相関部２２と閾値決定部２４とに接続されており、閾値決定部２４から送信されたパス選択閾値と、相関部２２から送信された遅延プロファイルＰＦ１とを受信し、所定のアルゴリズムでパス選択を行い、他の通信者の信号及び自チャネルのマルチパス信号からの干渉及びノイズなどの背景雑音を、遅延プロファイルＰＦ１から除去し、有効なパスのみからなる遅延プロファイル、すなわちチャネル推定値を作成して出力する。
【００１８】
ここで、パス選択のアルゴリズムとしては、最大の電力を持つパスの電力レベルから閾値を設けて、その閾値以上の受信電力を有する有効なパスを選択する、遅延プロファイルの平均電力レベルから閾値を設けて、その閾値以上の受信電力を有する有効なパスを選択する、背景雑音電力レベルから閾値を設けて、その閾値以上の受信電力を有する有効なパスを選択する、などが挙げられる。図３に、パス選択処理の例として、最大の電力を持つパスから閾値を設けて、その閾値以上の受信電力を有するパスを選択するアルゴリズムの原理図を示す。
【００１９】
詳述すると、例えば、図３（ａ）に示すように、遅延プロファイルに基づいて、最大パスの電力レベルの１／３に閾値を設定し、この閾値と比較することによって、図３（ｂ）に示すように、複数のパスｈ１…のうち、閾値以上の電力レベルのパスｈ１，ｈ２，ｈ４…を選択している。
【００２０】
閾値決定部２４は、パス選択部２３に接続されており、閾値を決定する指標値に基づいて、パス選択を行うためのパス選択閾値を決定し、前記パス選択閾値をパス選択部２３に送信する。具体的には、図１に示すように、指標値を基地局等から取得する指標値取得部２４ａと、対応テーブルを記憶する対応テーブル記憶部２４ｂとを備えている。
【００２１】
詳述すると、閾値決定部２４は、指標値取得部２４ａから入力される指標値について、対応テーブル記憶部２４ｂに格納された対応テーブルを照合して、閾値を取得し、取得した閾値をパス選択部２３に出力する。
【００２２】
本実施形態において指標値とは、現在通信を行っている通信チャネルの無線品質を示す無線品質指標値であり、例えば、自局における信号電力対干渉電力比（ＳＩＲ）、干渉信号に対する希望波信号電力の比（ＣＩＲ）、信号電力対雑音電力比（ＳＮＲ）、希望波信号電力対雑音電力比（ＣＮＲ）、受信電力、ＲＳＳＩ（受信信号強度表示信号）等のことである。
【００２３】
対応テーブルは、本実施形態では、上記品質指標値と閾値とを対応付けたテーブルデータであり、例えば、図４（ａ）に示すように構成されている。すなわち、受信機２０の測定するＳＩＲの値がある所定の値、例えば５ｄＢよりも小さい場合は、パス選択閾値を、遅延プロファイルの中の最大の電力を持つパスの電力レベルから１／１０と設定し、５ｄＢよりも大きい場合は、パス選択閾値を、遅延プロファイルの最大の電力を持つパスの電力レベルから１／１２と設定することができる。
【００２４】
また、例えば、対応テーブルとしては、図４（ｂ）に示すように、受信機２０の受信するＲＳＳＩの値がある所定の値、例えば、４ｄＢよりも小さい場合は、パス選択閾値を、遅延プロファイルの平均電力レベルから１／１０と設定し、ＲＳＳＩの値が４ｄＢよりも大きく５ｄＢよりも小さい場合は、パス選択閾値を、遅延プロファイルの平均電力レベルから１／１２と設定し、ＲＳＳＩの値が５ｄＢよりも大きい場合は、パス選択閾値を遅延ブロファイルの平均電力レベルから１／１６と設定することができる。
【００２５】
ここで、無線品質指標値とパス選択閾値の関係は、無線品質指標値が大きい場合に、パス選択閾値を小さく、無線品質指標値が小さい場合にパス選択閾値を大きくする、という関係だけでなく、無線品質指標値が大きい場合に、パス選択閾値を大きく、無線品質指標値が小さい場合にパス選択閾値を小さくする、という関係でもよい。
【００２６】
さらに、無線品質指標値とパス選択閾値の関係は、無線品質指標値に応じて無段階的に、より細かく設定してもよく、例えば、
（パス選択閾値）＝ｆ（無線品質指標値）
としてもよい。ここで、ｆ（ｘ）は、一次関数や二次関数など、任意の関数とする。
【００２７】
なお、本実施形態に係る受信機は、無線通信を行う全ての受信機に適用することができる。例えば、移動局の受信機や無線基地局の受信機などが考えられる。
【００２８】
（受信機の動作）
上記構成を有する受信機２０の動作について、図５を参照にして説明する。図５は、受信機２０において、チャネル推定を行う際のフローチャート図である。
【００２９】
図５に示すように、ステップＳ２０１において、相関部２２は、受信データ内のパイロットシンボルＳ１の位置を検出し、パイロットシンボルＳ１を抽出するとともに、抽出したパイロットシンボルＳ１に対して、受信側の持つパイロットシンボルのレプリカＲ１、すなわち、パイロットシンボルと全く同じシンボル系列を、上述の検出した位置から１チップずつずらして掛け合わして相関を取ることにより、遅延プロファイルを作成し、作成した前記遅延プロファイルをパス選択部２３に送信する。
【００３０】
次いで、ステップＳ２０２において、閾値決定部２４は、現在通信を行っている通信チャネルの無線品質を示す指標値、無線品質指標値に基づいてパス選択を行うためのパス選択閾値を決定し、前記パス選択閾値をパス選択部２３に送信する。
【００３１】
そして、ステップＳ２０３において、パス選択部２３は、閾値決定部２４から送信されたパス選択閾値と、相関部２２から送信された遅延プロファイルとを受信し、ある所定のアルゴリズムでパス選択を行い、他通信者の信号及び自チャネルのマルチパス信号からの干渉及びノイズなどの背景雑音を、遅延プロファイルから除去し、有効なパスのみからなる遅延プロファイル、すなわちチャネル推定値を作成して、出力する。
【００３２】
（受信機の作用・効果）
一般に、パスの数が多い方が、パスダイバーシチ効果が得られるため、伝送特性が良くなり、通信における誤り率は低減する。しかし、ノイズによるシグナルをパスと誤って判断して復調を行うと伝送特性は悪くなる。したがって、本実施形態に係る受信機によれば、無線品質指標値が大きい、すなわち、ノイズや干渉が小さい場合にはパス選択閾値を小さく設定して、より細かいパスをも考慮して復調することができ、一方、無線品質指標値が小さい、すなわち、ノイズや干渉が大きい場合には、パス選択閾値を大きく設定して、ノイズによるシグナルをパスと誤る確率を低減することができる。これらの結果、本実施形態に係る受信機によれば、その時々の無線環境において最適な閾値を用いたパス選択を行うことができ、通信における誤り率を低減することができる。
【００３３】
［変更例］
なお、本発明は、上記実施形態に限定されるものではなく、以下のような変更を加えることができる。
【００３４】
（変更例１）
上述した実施形態において、閾値決定部２４は、無線品質指標値の代わりに、同時に通信を行っているユーザ数、或いはトラヒックに基づいてパス選択を行うためのパス選択閾値を決定してもよい。すなわち、対応テーブル記憶部２４ｂに図６（ａ）又は（ｂ）に示すような、ユーザ数或いはトラヒック数と閾値とを対応付けたテーブルデータを格納しておくとともに、指標値取得部２４ａにおいて通信中のユーザ数やトラヒック数を取得するようにする。そして、閾値決定部２４は、同時に通信を行っているユーザ数、或いはトラヒックに基づいてパス選択を行うためのパス選択閾値を決定する。
【００３５】
対応テーブルの内容としては、例えば、図６（ａ）に示すように、同時に通信を行っているユーザ数がある所定の値を超えている場合は、パス選択閾値を、遅延プロファイルの中の最大の電力を持つパスの電力レベルから１／１２と設定し、同時に通信を行っているユーザ数がある所定の閾値を超えていない場合は、パス選択閾値を、遅延ブロファイルの最大の電力を持つパスの電力レベルから１／１６と設定することができる。
【００３６】
また、図６（ｂ）に示すように、トラヒックがある所定の値を超えている値を超えている場合は、パス選択閾値を、遅延プロファイルの中の最大の電力を持つパスの電力レベルから１／１５と設定し、　トラヒックがある所定の値を超えていない場合は、パス選択閾値を、遅延プロファイルの最大の電力を持つパスの電力レベルから１／１８と設定することができる。
【００３７】
ここで、同時に通信しているユーザ数或いはトラヒック数とパス選択閾値の関係は、同時に通信しているユーザ数或いはトラヒックが大きい場合に、パス選択閾値を大きく、同時に通信しているユーザ数或いはトラヒックが小さい場合にパス選択閾値を小さくする、という関係だけでなく、同時に通信しているユーザ数或いはトラヒックが大きい場合に、パス選択閾値を小さく、同時に通信しているユーザ数或いはトラヒックが小さい場合にパス選択閾値を大きくする、という関係でもよい。
【００３８】
さらに、同時に通信しているユーザ数或いはトラヒックとパス選択閾値の関係は、より細かく設定してもよく、
（パス選択閾値）＝ｆ（同時に通信しているユーザ数或いはトラヒック）
としてもよい。ここで、ｆ（ｘ）は、一次関数や二次関数など、任意の関数とする。
【００３９】
以上の変更例に係る受信機を用いることにより、同時に通信しているユーザ数或いはトラヒックが大きい時、他ユーザによる干渉が大きくなるため、遅延プロファイルにおける干渉によるシグナルが増大することとなり、パス選択を行うためのパス選択閾値を大きく設定して、干渉によるシグナルをパスと誤って判断して復調を行う可能性を低減することができる。一方、同時に通信しているユーザ数或いはトラヒックが小さい時、他ユーザによる干渉が小さいため、遅延プロファイルにおける干渉によるシグナルは減少することとなり、パス選択を行うためのパス選択閾値を小さく設定して、よりパスダイバーシチ効果を得られるようにすることができるため、通信における誤り率を低減することができる。
【００４０】
（変更例２）
また、上述した実施形態において、閾値決定部２４は、無線品質指標値の代わりに、ＭＣＳレベルに基づいて、パス選択を行うためのパス選択閾値を決定してもよい。
【００４１】
ここで、ＭＣＳレベルについて以下に簡単な概略を説明する。無線品質や受信機の移動速度に応じて適応的に変調方式及びターボ符号化における符号化レートＲを可変とする適応変調（ＡｄａｐｔｉｖｅＭｏｄｕｌａｔｉｏｎ　ａｎｄ　Ｃｏｄｉｎｇ）において、適応的に変化させる変調方式及び符号化レートの組み合わせを、ＭＣＳレベル（Ｍｏｄｕｌａｔｉｏｎ　ａｎｄ　Ｃｏｄｉｎｇ　Ｓｃｈｅｍｅレベル）という。
【００４２】
すなわち、対応テーブル記憶部２４ｂに、図６（ｃ）に示すような、ＭＣＳレベルと閾値とを対応付けたテーブルデータを格納しておくとともに、指標値取得部２４ａにおいてＭＣＳレベルを取得するようにする。そして、閾値決定部２４は、ＭＣＳレベルに基づいてパス選択を行うためのパス選択閾値を決定する。
【００４３】
例えば、ＭＣＳレベル１（ＱＰＳＫ、Ｒ＝１／２）、ＭＣＳレベル２（ＱＰＳＫ、Ｒ＝３／４）、ＭＣＳレベル３（１６ＱＡＭ、Ｒ＝１／２）、ＭＣＳレベル４（１６ＱＡＭ、Ｒ＝３／４）の３つのＭＣＳレベルを用いて、ＡＭＣを行っている場合を考える。これについて、実際にシミュレーションを行い、各ＭＣＳレベルにおける最適な閾値を求めたところ、図７に示すような結果が得られた。
【００４４】
よって、例えば、ＭＣＳレベル１を用いて通信を行っている場合は、パス選択閾値を、遅延プロファイルの中の最大の電力を持つパスの電力レベルから０．０６と設定し、ＭＣＳレベル２を用いて通信を行っている場合は、パス選択閾値を、遅延プロファイルの最大の電力を持つパスの電力レベルから０．０５と設定する。また、ＭＣＳレベル３を用いて通信を行っている場合は、パス選択閾値を、遅延プロファイルの中の最大の電力を持つパスの電力レベルから０．０３と設定し、ＭＣＳレベル４を用いて通信を行っている場合は、パス選択閾値を、遅延プロファイルの最大の電力を持つパスの電力レベルから０．０２５と設定することができる。
【００４５】
以上の変更例２に係る受信機によれば、各ＭＣＳレベルを切り替えるたびに、最適なパス選択閾値を用いてパス選択を行うことができるため、通信における誤り率を低減することができる。
【００４６】
（変更例３）
上述した実施形態において、閾値決定部２４は、無線品質指標値の代わりに、通信を行っている変調方式の種別に基づいて、パス選択を行うためのパス選択閾値を決定してもよい。すなわち、対応テーブル記憶部２４ｂに、図８（ａ）若しくは（ｂ）に示すような、変調方式と閾値とを対応付けたテーブルデータを格納しておくとともに、指標値取得部２４ａにおいて、変調方式を取得するようにする。そして、閾値決定部２４は、通信を行っている無線品質指標値に基づいてパス選択を行うためのパス選択閾値を決定する。
【００４７】
例えば、ＱＰＳＫを用いて通信を行っている場合は、パス選択閾値を、遅延プロファイルの中の最大の電力を持つパスの電力レベルから０．０５と設定し、１６ＱＡＭを用いて通信を行っている場合は、パス選択閾値を、遅延プロファイルの最大の電力を持つパスの電力レベルから０．０２と設定することができる。
【００４８】
また、例えば、６４ＱＡＭを用いて通信を行っている場合は、パス選択閾値を、遅延プロファイルの平均電力レベルから０．０６と設定し、１６ＱＡＭを用いて通信を行っている場合は、パス選択閾値を、遅延プロファイルの平均電力レベルから０．０４と設定し、ＱＰＳＫを用いて通信を行っている場合は、パス選択閾値を遅延プロファイルの平均電力レベルから０．０２と設定することができる。
【００４９】
以上の発明を用いることにより、通信に用いている変調方式に適したパス選択閾値を用いてパス選択を行うことができ、通信における誤り率を低減することができる。
【００５０】
（変更例４）
上述した実施形態において、閾値決定部２４は、無線品質指標値の代わりに、通信チャネルが伝搬路において受けるフェージングのピッチ（フェージング周波数）に基づいてパス選択を行うためのパス選択閾値を決定してもよい。すなわち、対応テーブル記憶部２４ｂに、図８（ｃ）に示すような、フェージング周波数と閾値とを対応付けたテーブルデータを格納しておくとともに、指標値取得部２４ａにおいて通信中のフェージング周波数を取得するようにする。そして、閾値決定部２４は、フェージング周波数に基づいてパス選択を行うためのパス選択閾値を決定する。
【００５１】
例えば、フェージング周波数がある所定の値を超えている場合は、パス選択閾値を、遅延プロファイルの中の最大の電力を持つパスの電力レベルから１／１２と設定し、フェージング周波数がある所定の値を超えていない場合は、パス選択閾値を、遅延プロファイルの最大の電力を持つパスの電力レベルから１／１６と設定することができる。
【００５２】
ここで、フェージング周波数とパス選択閾値の関係は、フェージング周波数が大きい場合に、パス選択閾値を大きく、フェージング周波数が小さい場合にパス選択閾値を小さくする、という関係だけでなく、フェージング周波数が大きい場合に、パス選択閾値を小さく、フェージング周波数が小さい場合にパス選択閾値を大きくする、という関係でもよい。
【００５３】
さらに、フェージング周波数とパス選択閾値の関係は、より細かく設定してもよく、
（パス選択閾値）＝ｆ（フェージング周波数）
としてもよい。ここで、ｆ（ｘ）は、一次関数や二次関数など、任意の関数とする。
【００５４】
以上の変更例４に係る受信機を用いることにより、その時々に無線通信チャネルが受けるフェージングに適したパス選択閾値を用いてパス選択を行うことができるため、通信における誤り率を低減することができる。
【００５５】
（変更例５）
上述した実施形態において、閾値決定部２４は、無線品質指標値の代わりに、移動局の位置情報に基づいて、パス選択を行うためのパス選択閾値を決定してもよい。すなわち、対応テーブル記憶部２４ｂに、図８（ｄ）に示すような、位置情報と閾値とを対応付けたテーブルデータを格納しておくとともに、指標値取得部２４ａにおいて、位置情報を取得するようにする。そして、閾値決定部２４は、移動局の位置情報に基づいてパス選択を行うためのパス選択閾値を決定する。
【００５６】
ここで、移動局の位置情報とは、ＧＰＳ等を用いて表示される座標的な位置情報から、あるセル或いはセクタに存在する、或いは屋内である、屋外であるという広範囲の位置情報まで、様々な意味での位置情報をさす。また、移動局の位置情報に基づいて、移動局、無線基地局両方の受信機において、本発明を適用することができる。
【００５７】
そして、例えば、移動局が屋内に存在する場合は、パス選択閾値を、遅延プロファイルの中の最大の電力を持つパスの電力レベルから１／２０と設定し、移動局が屋外に存在する場合は、パス選択閾値を、遅延プロファイルの最大の電力を持つパスの電力レベルから１／１６と設定することができる。また、例えば、移動局がある所定のエリア（セクタやセル、或いは特定のビル内、会場内など）に存在する場合は、パス選択閾値を、そのエリア固有の値に設定することができる。
【００５８】
さらに、移動局の位置情報（例えばＧＰＳによる位置情報）とパス選択閾値の関係は、より細かく設定してもよく、
（パス選択閾値）＝ｆ（移動局の位置情報）
としてもよい。ここで、ｆ（ｘ）は、一次関数や二次関数など、任意の関数とする。
【００５９】
以上の変更例５に係る受信機によれば、移動局の位置情報に適したパス選択閾値を用いてパス選択を行うことができるため、通信における誤り率を低減することができる。
【００６０】
（変更例６）
上述した実施形態において、閾値決定部２４は、無線品質指標値の代わりに、サービス種別に基づいて、パス選択を行うためのパス選択閾値を決定してもよい。すなわち、対応テーブル記憶部２４ｂに、図９（ａ）に示すような、サービス種別と閾値とを対応付けたテーブルデータを格納しておくとともに、指標値取得部２４ａにおいて通信中のサービス種別を取得するようにする。そして、閾値決定部２４は、サービス種別に基づいてパス選択を行うためのパス選択閾値を決定する。
【００６１】
例えば、音声サービスの通信を行っている場合は、パス選択閾値を、遅延プロファイルの中の最大の電力を持つパスの電力レベルから１／１２と設定し、データ通信サービスの通信を行っている場合は、パス選択閾値を、遅延プロファイルの最大の電力を持つパスの電力レベルから１／１６と設定することができる。
【００６２】
以上の変更例６に係る受信機によれば、サービス種別に適したパス選択閾値を用いてパス選択を行うことができるため、通信における誤り率を低減することができる。
【００６３】
（変更例７）
上述した実施形態において、閾値決定部２４は、無線品質指標値の代わりに、通信を行う時間帯に基づいて、パス選択を行うためのパス選択閾値を決定してもよい。すなわち、対応テーブル記憶部２４ｂに、図９（ｂ）に示すような、時間帯と閾値とを対応付けたテーブルデータを格納しておくとともに、指標値取得部２４ａにおいて通信中の時間帯を取得するようにする。そして、閾値決定部２４は、通信を行う時間帯に基づいてパス選択を行うためのパス選択閾値を決定する。
【００６４】
例えば、通信を夜の時間帯に行う場合は、パス選択閾値を、遅延プロファイルの中の最大の電力を持つパスの電力レベルから１／１８と設定し、通信を昼の時間帯に行う場合は、パス選択閾値を、遅延プロファイルの最大の電力を持つパスの電力レベルから１／１６と設定することができる。
【００６５】
以上の変更例７に係る受信機によれば、通信を行う時間帯に適したパス選択閾値を用いてパス選択を行うことができるため、通信における誤り率を低減することができる。
【００６６】
（変更例８）
なお、上述した実施形態及び各変更例では、指標値取得部２４ａ、閾値決定部２４及び対応テーブル記憶部２４ｂを、受信機である移動局に設けた場合を例に説明したが、本発明はこれに限定されるものではなく、例えば、図１０に示すように、指標値取得部２４ａ、閾値決定部２４及び対応テーブル記憶部２４ｂを基地局３０に設けてもよい。
【００６７】
この場合には、基地局（送信機）３０で指標値に基づいて対応テーブル記憶部２４ｂを照合し、閾値を抽出し、この抽出した閾値を閾値通知部３１を通じて、移動局（受信機）４０の閾値取得部４１に通知する。閾値取得部４１は、取得した閾値をパス選択部２３に出力し、パス選択部２３において、上述した手順によりチャネル推定値を出力する。
【００６８】
【発明の効果】
以上説明したように、本発明の通信制御システム、通信制御方法、移動局及び基地局によれば、受信機が、測定した無線品質、或いは、サービス種別、変調方式、ＭＣＳレベル、通信を行っているユーザ数、トラヒック、時間帯、移動局の位置情報、フェージング周波数などに応じてパス選択閾値を変化させることにより、その時々の無線環境において最適なパス選択閾値を用いたパス選択を行い、通信における誤り率を低減することができる。
【図面の簡単な説明】
【図１】実施形態に係る受信機の概略構成を示すブロック図である。
【図２】実施形態に係る相関部における遅延プロファイル作成の概略説明図である。
【図３】実施形態に係る選択部におけるパス選択の概略説明図である。
【図４】実施形態に係る対応テーブルの内容を示す説明図である。
【図５】実施形態に係る受信機が、チャネル推定を行うまでのフローチャート図である。
【図６】変更例に係る対応テーブルの内容を示す説明図である。
【図７】変更例２に係る受信機において、各ＭＣＳレベルに関して最適な閾値を求めたシミュレーション結果のグラフである。
【図８】変更例に係る対応テーブルの内容を示す説明図である。
【図９】変更例に係る対応テーブルの内容を示す説明図である。
【図１０】変更例に係る通信制御システムの概略構成を示すブロック図である。
【図１１】従来技術に係る受信機の概略構成を示すブロック図である。
【符号の説明】
Ｒ１…レプリカ
Ｓ１…パイロットシンボル
ＰＦ１…遅延プロファイル
１０，２０…受信機
１１，２１…チャネル推定装置
１２，２２…相関部
１３，２３…パス選択部
２４…閾値決定部
２４ａ…指標値取得部
２４ｂ…対応テーブル記憶部
３０…基地局
３１…閾値通知部
４０…移動局
４１…閾値取得部
【図１】
2004023763.tif 000003
【図２】
2004023763.tif 000004
【図３】
2004023763.tif 000005
【図４】
2004023763.tif 000006
【図５】
2004023763.tif 000007
【図６】
2004023763.tif 000008
【図７】
2004023763.tif 000009
【図８】
2004023763.tif 000010
【図９】
2004023763.tif 000011
【図１０】
2004023763.tif 000012
【図１１】
2004023763.tif 000013